(57)【要約】【課題】靴、衣服、鞄等に設けられるスライドファスナーにおいて、スライダー及びスライダーの把手部分を固定でき、且つ完全に掩蔽でき、さらに手指の不自由な人や高齢者においても、スライドファスナーの開閉を楽に行える構成のスライドファスナーを開発する。【解決手段】スライダーあるいはスライダーの把手部分に装着され、スライダーあるいはスライダーと把手部分の全体を掩蔽可能であり、且つ面ファスナーやボタン、ホック等の固定手段によって靴、衣服、鞄等の本体に固定可能である掩蔽体を備えたことを特徴とする掩蔽体付スライドファスナーを提供する。【選択図】        図１
2006288960.tif 000002
【特許請求の範囲】
【請求項１】
人が身に着ける物品あるいは人が携帯する物品に設けられるスライドファスナーにおいて、該スライドファスナーのスライダーあるいはスライダーの把手部分に装着され、該スライドファスナーのスライダーの全体あるいはスライダーの全体とスライダーの把手部分の全体を掩蔽可能であり、且つ固定手段によって上記人が身に着ける物品あるいは人が携帯する物品の本体に固定可能である掩蔽体を備えたことを特徴とする掩蔽体付スライドファスナー。
【請求項２】
上記固定手段が面ファスナーであることを特徴とする請求項１に記載の掩蔽体付スライドファスナー。
【請求項３】
上記固定手段がボタンであることを特徴とする請求項１に記載の掩蔽体付スライドファスナー。
【請求項４】
上記固定手段がホックであることを特徴とする請求項１に記載の掩蔽体付スライドファスナー。
【請求項５】
上記人が身に着ける物品が靴であることを特徴とする請求項１あるいは請求項２あるいは請求項３あるいは請求項４に記載の掩蔽体付スライドファスナー。
【請求項６】
上記人が身に着ける物品が衣服類であることを特徴とする請求項１あるいは請求項２あるいは請求項３あるいは請求項４に記載の掩蔽体付スライドファスナー。
【請求項７】
上記人が身に着ける物品が帽子あるいは覆面であることを特徴とする請求項１あるいは請求項２あるいは請求項３あるいは請求項４に記載の掩蔽体付スライドファスナー。
【請求項８】
上記人が身に着ける物品が手袋であることを特徴とする請求項１あるいは請求項２あるいは請求項３あるいは請求項４に記載の掩蔽体付スライドファスナー。
【請求項９】
上記人が携帯する物品が鞄類であることを特徴とする請求項１あるいは請求項２あるいは請求項３あるいは請求項４に記載の掩蔽体付スライドファスナー。
【請求項１０】
上記人が携帯する物品が財布であることを特徴とする請求項１あるいは請求項２あるいは請求項３あるいは請求項４に記載の掩蔽体付スライドファスナー。
【発明の詳細な説明】
【技術分野】
【０００１】
本発明は、掩蔽体付スライドファスナーに関するものであり、さらに詳しくは、人が身に着ける物品あるいは人が携帯する物品に設けられるスライドファスナーにおいて、該スライドファスナーのスライダーあるいはスライダーの把手部分に装着され、該スライドファスナーのスライダーの全体あるいはスライダーの全体とスライダーの把手部分の全体を掩蔽可能であり、且つ固定手段によって上記人が身に着ける物品あるいは人が携帯する物品の本体に固定可能である掩蔽体を備えたことを特徴とする掩蔽体付スライドファスナーに関するものである。
【背景技術】
【０００２】
従来、人が身に着ける物品あるいは人が携帯する物品にはスライドファスナーが設けられている場合が多々ある。すなわち、上衣の前面や背面や側面、またズボンの前面やスカートの側面、靴の開閉部分、鞄や財布の開閉部分等にはスライドファスナーが使用されている例が数多く見受けられる。
【０００３】
周知のように、スライドファスナーはファスナー本体とファスナー本体を開閉させるスライダーとから成り、スライダーには把手（引手とも呼称）が付属している例が殆どである（図示せず）。スライダーと把手の間に環状体等の媒介体が介されている例も多いが、これらの媒介体は、構成上スライダーあるいは把手のどちらかに含まれるものとみなして良い。このような構成のスライドファスナーにおいて、使用者は、通常、把手を手に取ってスライダーを動かし、スライドファスナーを開閉する。
【０００４】
しかしながら、スライドファスナーのスライダーと把手は、多くの場合、スライドファスナーの開閉状態にかかわらず露出された状態にあるので、例えば衣服や靴や鞄に設けられたスライドファスナーの場合であると、装着者が歩くたびに把手が揺れる。走るとその揺れはますますひどくなり、この把手が衣服や靴や鞄の他の部分に衝突して不快な音を発することとなる。あるいは、スライダーや把手がある程度重量がある場合には、衣服に衝突して不快な衝撃となる。
【０００５】
さらには、スライドファスナーのスライダーや把手が皮膚に接触したりすると、不快であるばかりでなく、皮膚の弱い人にとっては炎症の引き金にもなりかねない。また、ブーツなどでは、スライドファスナーのスライダーや把手が、ブーツの着脱の際にストッキングに引っかかってストッキングの繊維の破壊を引き起こす例も多々ある。衣服においても、スライダーや把手が他の衣服に引っかかって着脱の障害になったり、甚だしい場合には他の衣服を損傷することもある。
【０００６】
また、靴や汚損が激しい仕事で使用される衣服においてスライドファスナーが使用されていると、露出されたスライダーや把手が泥や埃等に汚損されて操作上不快であるばかりではなく、操作そのものに支障をきたす場合も出てくる。この事情は、汚損が激しい仕事で使用される鞄類においても同様である。またさらに、鞄類においては、スライダーや把手が露出されている場合、雑踏に紛れてスライドファスナーを開けられ、内容物が窃盗に合うケースも考えられる。
【０００７】
さらに、スライドファスナーのスライダーの把手は、多くの場合手指で摘んでスライダーを動かすようになっているので、健常者にとっては操作上問題はなくても、手指に障害のある人にとっては、把手を摘むという動作そのものが中々難しく、人手を借りなければならない場合も出てくる。靴等ではスライドファスナー付の靴は開閉部分を大きくできるので、高齢者や足に障害のある人には着脱が容易で便利なものであるが、手指に障害のある人にとっては、上記理由から選択圏外の品となってしまうので、この点の解決も求められている。この事情は、衣服や鞄類等においても略同様である。
【０００８】
一方、衣服や靴等に設けられるスライドファスナーに、所謂ファスナーカバーと称されるカバー体等を設けた例はすでに公知であって、例えば下記特許文献１，２，３に挙げる例などが知られている。
【０００９】
このうち、下記特許文献１に記載の「ファスナーカバー」は、履物や衣類に挾持部を介してファスナーカバーを取り付けるもので、スライドファスナーのスライダーと引き手（把手）部分をカバーすることが可能であるとされ、実施例としてブーツ、衣服、鞄に装着する例が開示されている。
【００１０】
しかしながら、下記特許文献１に記載の「ファスナーカバー」は、挾持部を介して取り付けるものであるために、靴や衣服や鞄において、挾持部自体を装着可能な部分にしか取り付けられないという欠点が存する。また、スライダーの引き手（把手）自体は従来のサイズであるため、手指の不自由な人や高齢者にとっては操作しずらいという欠陥は改善されていない。
【００１１】
次に、下記特許文献２に記載の「ベルトでファスナー部を被覆する短靴」は、靴本体に被覆用のベルトを固着し、該ベルトでスライダーを含むファスナー部の大半を被覆し、面ファスナーにて該ベルトを靴本体に固定するものであるが、靴本体に被覆用のベルトを固着しているために靴自体の構造が複雑化し、かつスライダーの把手自体は特許文献１の「ファスナーカバー」同様従来のものと変わらないサイズであるため、手指の不自由な人や高齢者にとっては操作しずらいという欠陥はやはり改善されていない。
【００１２】
最後に、下記特許文献３に記載の「ファスナーのカバー構造」は、スライダーの引き手（把手）にゴム又は樹脂で形成されたカバーを取付け、該カバーの被係止部を衣服等の係止部に係止させて固定するというものである。これで、確かに引き手（把手）の揺れは解消されるが、引き手（把手）の一部のみをゴム又は樹脂で形成されたカバーで覆うというものであるので、スライダーそのものは露出状態にあり、その点に起因する障害を解決する発明にはなりえていない。また、引き手（把手）は薄いゴム又は樹脂のカバーが掛けられたのみの状態で、そのサイズは従来のものと殆ど変わらないので、やはり手指の不自由な人や高齢者にとっての操作困難という点を解消するものとはなり得ていない。
【特許文献１】実用新案登録第３０８８１１２号公報
【特許文献２】実用新案登録第３０７３８５６号公報
【特許文献３】特開２００１‐２０４５１４号公報
【発明の開示】
【発明が解決しようとする課題】
【００１３】
本発明は、叙上のような状況に鑑みてなされたもので、解決すべき課題を以下のように設定した。
＜課題１＞
人が身に着ける物品あるいは人が携帯する物品に設けられるスライドファスナーにおいて、スライダー及びスライダーの把手部分を固定できる構成のスライドファスナーを開発する。
＜課題２＞
人が身に着ける物品あるいは人が携帯する物品に設けられるスライドファスナーにおいて、スライダー及びスライダーの把手部分の全体を掩蔽できる構成のスライドファスナーを開発する。
＜課題３＞
人が身に着ける物品あるいは人が携帯する物品に設けられるスライドファスナーにおいて、スライダーの把手部分を手指でうまく掴めない人においても、スライダーを操作してスライドファスナーの開閉を楽に行える構成のスライドファスナーを開発する。
【課題を解決するための手段】
【００１４】
本発明は、上記課題を解決するためになされたものであって、下記の解決手段を提供するものである。
＜解決手段１＞
人が身に着ける物品あるいは人が携帯する物品に設けられるスライドファスナーにおいて、該スライドファスナーのスライダーあるいはスライダーの把手部分に装着され、該スライドファスナーのスライダーの全体あるいはスライダーの全体とスライダーの把手部分の全体を掩蔽可能であり、且つ固定手段によって上記人が身に着ける物品あるいは人が携帯する物品の本体に固定可能である掩蔽体を備えたことを特徴とする掩蔽体付スライドファスナー。
＜解決手段２＞
上記固定手段が面ファスナーであることを特徴とする解決手段１に記載の掩蔽体付スライドファスナー。
＜解決手段３＞
上記固定手段がボタンであることを特徴とする解決手段１に記載の掩蔽体付スライドファスナー。
＜解決手段４＞
上記固定手段がホックであることを特徴とする解決手段１に記載の掩蔽体付スライドファスナー。
＜解決手段５＞
上記人が身に着ける物品が靴であることを特徴とする解決手段１あるいは解決手段２あるいは解決手段３あるいは解決手段４に記載の掩蔽体付スライドファスナー。
＜解決手段６＞
上記人が身に着ける物品が衣服類であることを特徴とする解決手段１あるいは解決手段２あるいは解決手段３あるいは解決手段４に記載の掩蔽体付スライドファスナー。
＜解決手段７＞
上記人が身に着ける物品が帽子あるいは覆面であることを特徴とする解決手段１あるいは解決手段２あるいは解決手段３あるいは解決手段４に記載の掩蔽体付スライドファスナー。
＜解決手段８＞
上記人が身に着ける物品が手袋であることを特徴とする解決手段１あるいは解決手段２あるいは解決手段３あるいは解決手段４に記載の掩蔽体付スライドファスナー。
＜解決手段９＞
上記人が携帯する物品が鞄類であることを特徴とする解決手段１あるいは解決手段２あるいは解決手段３あるいは解決手段４に記載の掩蔽体付スライドファスナー。
＜解決手段１０＞
上記人が携帯する物品が財布であることを特徴とする解決手段１あるいは解決手段２あるいは解決手段３あるいは解決手段４に記載の掩蔽体付スライドファスナー。
【発明の効果】
【００１５】
本発明の解決手段１の発明においては、人が身に着ける物品あるいは人が携帯する物品に設けられるスライドファスナーにおいて、該スライドファスナーのスライダーあるいはスライダーの把手部分に装着され、該スライドファスナーのスライダーの全体あるいはスライダーの全体とスライダーの把手部分の全体を掩蔽可能であり、且つ固定手段によって上記人が身に着ける物品あるいは人が携帯する物品の本体に固定可能である掩蔽体を備えているので、スライダー及びスライダーの把手部分を固定すると同時に掩蔽し、かつ手指に傷害のある人や高齢者でも操作し易いという３つの効果が同時に得られるものである。
【００１６】
スライダー及びスライダーの把手部分が固定されることにより、衣服や靴、鞄類に用いられるスライドファスナーにおいても、歩いたり走ったりするたびにスライダーの把手部分が揺れ動くということがなくなった。
【００１７】
さらに、スライダーの全体とスライダーの把手部分の全体を掩蔽できるところから、スライダーや把手部分が皮膚に接触したりすることがなく、不快感が生じない。また、皮膚の弱い人も炎症の引き金となることはなく、他の着衣の着脱を困難にしたり、他の着衣を損傷することもない。さらには、靴や汚損が激しいところで用いられる衣類や鞄に適用された場合には、スライダーや把手部分が汚損されたり損傷されたりする危険性が激減する。また、鞄類においては、スライダーの全体とスライダーの把手部分の全体が掩蔽されているところから、中味の盗難の危険性が減少する。
【００１８】
さらに、掩蔽体が、スライダーあるいはスライダーの把手部分に装着されているところから、手指の不自由な人や高齢者でも、小さなスライダーの把手部分ではなく、より大きな掩蔽体そのものを手で掴んで引っ張ればスライダーを動かせるので、手指の不自由な人や高齢者が自分一人で靴や衣服の着脱、鞄の開閉を行うことが可能となった。
【００１９】
スライダー及びスライダーの把手部分を固定すると同時に掩蔽し、かつ手指に傷害のある人や高齢者でも操作し易いという３つの効果が同時に得られるということは、どのような立場の人においても略公平な操作感覚と結果を得られるという、所謂ユニバーサルデザインの発想において、極めて貴重な効果を齎すものであり、しかも、靴や鞄類から衣服全般における広範囲な分野にて応用展開が可能であるという点が、本発明の基本的な効果の大きな特徴である。
【００２０】
本発明の解決手段２の発明においては、掩蔽体の固定手段が面ファスナーであるので、誰でも簡単に操作することが可能である。しかも、面ファスナーが装着できる部分があればどのような対象にても実施可能であるので、極めて応用範囲が広い。
【００２１】
本発明の解決手段３あるいは解決手段４の発明においては、掩蔽体の固定手段がボタンあるいはホックであるので、解決手段１の発明の有する効果を、意匠上の美観を損なうことなく実現できるものである。また、ボタンやホックの有する特有の意匠上の効果、すなわちボタンであればボタンそのものの意匠上の特質を活かし、ホックであればホックそのものは固定状態では隠蔽されるという特質を活かして様々な展開が可能である。
【００２２】
本発明の解決手段５の発明においては、人が身に着ける物品が靴であり、靴に装着するスライドファスナーにおいて、解決手段１あるいは解決手段２あるいは解決手段３あるいは解決手段４の発明を実施するものである。その結果として、スライダーと把手部分が掩蔽されることからはスライダーと把手部分の汚損が防止され、かつ何かに引っかかって誤ってスライドファスナーが開いてしまうという事態も防止される。また、ブーツなどに用いればストッキングを損傷する危険性も減じられる。また、スライダーと把手部分が固定されることからは、歩いたり走ったりするごとに把手部分が揺れ動くことがなくなり、かつ振動でスライドファスナーが開いてしまうということもない。
【００２３】
さらに、掩蔽体がスライダーに装着されており、高齢者や手指の不自由な人も、小さな把手部分ではなく大きな掩蔽体を掴んでのスライダーの操作が可能となるので、開閉部分の広いスライドファスナー付の靴を抵抗なく履くことが可能となった。なお、高齢者や手指の不自由な人に対しては、固定手段は面ファスナーであることが望ましい。
【００２４】
本発明の解決手段６の発明においては、人が身に着ける物品が衣服類であり、衣服類に装着するスライドファスナーにおいて、解決手段１あるいは解決手段２あるいは解決手段３あるいは解決手段４の発明を実施するものである。その結果として、スライダーと把手部分が掩蔽されることからはスライダーと把手部分が直接身体に触れることがないので、不快感がなく、また皮膚の弱い人においても炎症の引き金にならない。さらに、他の衣服に引っかかって着脱の邪魔になったり損傷したりすることもない。あるいは、汚損が激しい現場において着用しても、スライダーと把手部分が汚損されたり損傷を受けたりする危険性が減少する。また、スライダーと把手部分が固定されることからは、歩いたり走ったりするごとに把手部分が揺れ動くことがなくなり、かつ振動でスライドファスナーが開いてしまうということもない。
【００２５】
さらに、掩蔽体が把手部分に装着されているので、高齢者や手指の不自由な人も、小さな把手部分ではなく大きな掩蔽体を掴んでのスライダーの操作が可能となった。なお、衣服において本発明を実施する際には、固定手段として面ファスナー、ボタン、ホックのいずれもが使用可能である。ただし、意匠的美観が重要視される場合には、固定手段として面ファスナーよりもボタンあるいはホックを用いるのが望ましい。
【００２６】
本発明の解決手段７あるいは解決手段８の発明においては、人が身に着ける物品が帽子あるいは覆面あるいは手袋であり、帽子あるいは覆面あるいは手袋に装着するスライドファスナーにおいて、解決手段１あるいは解決手段２あるいは解決手段３あるいは解決手段４の発明を実施するものである。その結果として、スライダーと把手部分が掩蔽されることからはスライダーと把手部分が直接身体に触れることがないので、不快感がなく、また皮膚の弱い人においても炎症の引き金にならない。さらに、衣服に引っかかって着脱の邪魔になったり損傷したりすることもない。あるいは、汚損が激しい現場において着用しても、スライダーと把手部分が汚損されたり損傷を受けたりする危険性が減少する。また、スライダーと把手部分が固定されることからは、歩いたり走ったりするごとに把手部分が揺れ動くことがなくなり、かつ振動でスライドファスナーが開いてしまうということもない。
【００２７】
さらに、掩蔽体が把手部分に装着されているので、高齢者や手指の不自由な人も、小さな把手部分ではなく大きな掩蔽体を掴んでのスライダーの操作が可能となった。なお、帽子あるいは覆面あるいは手袋において本発明を実施する際には、固定手段として面ファスナー、ボタン、ホックのいずれもが使用可能である。ただし、意匠的美観が重要視される場合には、固定手段として面ファスナーよりもボタンあるいはホックを用いるのが望ましいのは衣服の場合と同様である。
【００２８】
本発明の解決手段９の発明においては、人が携帯する物品が鞄類であり、鞄類に装着するスライドファスナーにおいて、解決手段１あるいは解決手段２あるいは解決手段３あるいは解決手段４の発明を実施するものである。その結果として、スライダーと把手部分が掩蔽されることからはスライダーと把手部分が直接身体に触れることがないので、不快感がなく、また皮膚の弱い人においても炎症の引き金にならない。さらに、鞄類の中味が盗難に会う危険性が減少する。あるいは、汚損が激しい現場において着用しても、スライダーと把手部分が汚損されたり損傷を受けたりする危険性も減少する。また、スライダーと把手部分が固定されることからは、歩いたり走ったりするごとに把手部分が揺れ動くことがなくなり、かつ振動でスライドファスナーが開いてしまうということもない。
【００２９】
さらに、掩蔽体が把手部分に装着されているので、高齢者や手指の不自由な人も、小さな把手部分ではなく大きな掩蔽体を掴んでのスライダーの操作が可能となった。なお、鞄類において本発明を実施する際には、固定手段として面ファスナー、ボタン、ホックのいずれもが使用可能である。鞄類においては、スライドファスナーは閉状態が普通であるので、意匠上の美観が重要視される場合においても、面ファスナーも充分に用い得るものである。
【００３０】
本発明の解決手段１０の発明においては、人が携帯する物品が財布であり、財布に装着するスライドファスナーにおいて、解決手段１あるいは解決手段２あるいは解決手段３あるいは解決手段４の発明を実施するものである。その結果として、スライダーと把手部分が掩蔽されることからは、財布を収容する鞄等の内部において、スライダーと把手部分が他の物品に引っかかったり他の物品を押圧したりして他の物品を損傷させることがない。また、鞄類から財布を取り出す際に、スライダーと把手部分が他の物品に引っかかって他の物品まで引きずり出すということもなくなる。
【００３１】
さらに、掩蔽体が把手部分に装着されているので、高齢者や手指の不自由な人も、小さな把手部分ではなく大きな掩蔽体を掴んでのスライダーの操作が可能となった。なお、財布において本発明を実施する際には、固定手段として面ファスナー、ボタン、ホックのいずれもが使用可能である。財布においても、スライドファスナーは閉状態が普通であるので、意匠上の美観が重要視される場合においても、面ファスナーも充分に用い得るものである。
【発明を実施するための最良の形態】
【００３２】
本発明を実施するための最良の形態を、以下に図面を参照しながら詳細に説明する。なお、実施例１は解決手段５に記載の発明の１実施例であり、実施例２は解決手段６に記載の発明の１実施例であり、実施例３は解決手段９に記載の発明の１実施例である。
【実施例１】
【００３３】
＜実施例１の構成＞
図１に示す１はスライドファスナーであり、ＳＨはスライドファスナー１が装着されている靴で、皮製である。Ｓはスライドファスナー１を開閉させるスライダーであり、ＲはスライダーＳに装着された環状体である。従来のスライドファスナー（図示せず）においては、環状体Ｒに把手（図示せず）が装着されるが、実施例１のライドファスナー１においては、環状体Ｒに掩蔽体１１が装着されている。
【００３４】
掩蔽体１１の構成は、図１〜図４に見るとおりである。すなわち、掩蔽体１１の本体１２は略半円形状で片側に３箇所の円弧が形成されており、図１に見るように、表面に３個の合成樹脂製の飾りＤ、Ｄ、Ｄが固着されている。飾りＤ、Ｄ、Ｄは単に装飾目的のものであって、掩蔽体１１の要部ではない。なお、掩蔽体１１は皮製であるが、これは靴ＳＨが皮製であることを受けて皮製となっているもので、靴ＳＨが布製であれば掩蔽体１１も布製とするのが妥当である。意匠上の理由等から靴ＳＨと掩蔽体１１を別素材とすることもあり得るが、一般的には同一素材とするのが望ましい。また、掩蔽体１１の素材には、ある程度の柔軟性が必要である。
【００３５】
掩蔽体１１の本体１２の裏面には、図２に示すように裏皮１３が裏面全体に固着されている。裏皮１３の固着方法としては、接着、溶着、縫着その他の方法が用い得るが、裏皮１３が本体１２の裏面に剥離不能な状態で一体として固着できるのであればその方法は問わない。
【００３６】
本体１２と裏皮１３の中間部分には、環状の帯状布からなる連結帯１４の一端が本体１２と裏皮１３と一体に挟着固定されている。この挟着固定の方法も、連結帯１４が本体１２と裏皮１３の間に脱抜不能の状態で挟着固定されるのであれば、接着、溶着、縫着その他いかなる方法を用いても差し支えない。連結帯１４の他端にはスライドファスナー１のスライダーＳの環状体Ｒが挿通されていて、掩蔽体１１は連結帯１４と環状体Ｒを介してスライダーＳに連結されている。
【００３７】
掩蔽体１１の裏皮１３には、図２に見るように、楕円形状の面ファスナーＭＦ、ＭＦが固着されている。また、靴ＳＨにも面ファスナーＭＦ、ＭＦが固着されている。すなわち、靴ＳＨにおいて、スライドファスナー１が閉状態（図１の状態）で、掩蔽体１１の裏布１３に固着された面ファスナーＭＦ、ＭＦと対応する位置に、楕円形状の面ファスナーＭＦ、ＭＦが固着されている。この場合、掩蔽体１１の裏皮１３に固着された面ファスナーＭＦ、ＭＦがループ面であれば靴ＳＨに固着される面ファスナーＭＦ、ＭＦは鉤状面となり（図２の状態）、掩蔽体１１の裏皮１３に固着された面ファスナーＭＦ、ＭＦが鉤状面であれば靴ＳＨに固着される面ファスナーＭＦ、ＭＦはループ面となる。
【００３８】
＜実施例１の作用＞
実施例１のスライドファスナー１の作用は以下のとおりである。まず、図２においてスライドファスナー１がある程度開いた状態からスライドファスナー１を閉じて図１の状態とするためには、図２の状態において掩蔽体１１全体を手に掴んで図３のＸ方向にスライダーＳを引き上げる。これによりスライダーＳは最端部にまで移動するので（図３の状態）、次に、掩蔽体１１を図３のＹ方向に回転させて掩蔽体１１の面ファスナーＭＦ、ＭＦと靴ＳＨの面ファスナーＭＦ、ＭＦを当接させ、掩蔽体１１の表面から押圧すれば掩蔽体１１は面ファスナーＭＦ、ＭＦ、ＭＦ、ＭＦを介して靴ＳＨに固定される。と同時に、環状体Ｒと帯状体１４は折畳まれて掩蔽体１１により掩蔽され、スライダーＳも完全に掩蔽される。これによりスライドファスナー１を閉じるプロセスは完了する。
【００３９】
スライドファスナー１を開くプロセスは以上のプロセスの逆となる。すなわち、掩蔽体１１を靴ＳＨから剥離して図３に示す状態とし、次に掩蔽体１１全体を手で掴んで靴ＳＨのつま先方向（方向Ｘの逆方向）に引っ張る。これにより、帯状体１４と環状体Ｒを介してスライダーＳが靴ＳＨのつま先方向に移動し、スライドファスナー１は開かれる。以上のスライドファスナー１を閉じるプロセスもスライドファスナー１を開くプロセスも全て掩蔽体１１を手全体で掴んで行うことができるので、手指の不自由な人や高齢者にても、スライドファスナー１の開閉が楽に行えるものである。
【実施例２】
【００４０】
＜実施例２の構成＞
図５、図６には、本発明の実施例２のスライドファスナー２の構成を示す。図５に示す２はスライドファスナーであり、ＣＬはスライドファスナー２が装着されている衣服で、布製である。図６のＳはスライドファスナー２を開閉させるスライダーであり、ＲはスライダーＳに装着された環状体である。従来のスライドファスナー（図示せず）においては、環状体Ｒに把手（図示せず）が装着されるが、実施例２のライドファスナー２においては、実施例１のスライドファスナー１同様環状体Ｒに掩蔽体２１が装着されている。
【００４１】
掩蔽体２１の構成は、図５、図６に見るとおりである。すなわち、掩蔽体２１の本体２２はウインナソーセージのような形状で、図５に見るように、表面に２個の合成樹脂製の飾りＤ、Ｄが固着されている。飾りＤ、Ｄは実施例１同様単に装飾目的のものであって、掩蔽体２１の要部ではない。なお、掩蔽体２１は布製であるが、これは衣服ＣＬが布製であることを受けて布製となっているもので、衣服ＣＬが皮製であれば掩蔽体２１も皮製とするのが妥当である。意匠上の理由等から衣服ＣＬと掩蔽体２１を別素材とすることもあり得るが、一般的には同一素材とするのが望ましい。また、掩蔽体２１の素材には、ある程度の柔軟性が必要である点も実施例１と同じである。
【００４２】
掩蔽体２１の本体２２の裏面には、図６に示すように裏布２３が裏面全体に固着されている。裏布２３の固着方法は、実施例１同様いかなる方法でも良い。また、本体２２と裏布２３の中間部分には、環状の帯状布からなる連結帯２４の一端が本体２２と裏布２３と一体に挟着固定されている。この挟着固定の方法もいかなる方法を用いてもかまわない。連結帯２４の他端にはスライドファスナー２のスライダーＳの環状体Ｒが挿通されていて、掩蔽体２１は連結帯２４と環状体Ｒを介してスライダーＳに連結されている。
【００４３】
掩蔽体２１の裏布２３には、図６に見るように、楕円形状の面ファスナーＭＦ、ＭＦが固着されている。また、衣服ＣＬにも楕円形状の面ファスナーＭＦ、ＭＦが固着されている。すなわち、スライドファスナー２が閉状態（図１の状態）で掩蔽体２１の裏布２３に固着された面ファスナーＭＦ、ＭＦと対応する位置（衣服ＣＬの襟首の位置）に、楕円形状の面ファスナーＭＦ、ＭＦが固着されている。この場合、掩蔽体２１の裏布２３に固着された面ファスナーＭＦ、ＭＦがループ面であれば衣服ＣＬに固着される面ファスナーＭＦ、ＭＦは鉤状面となり（図６の状態）、掩蔽体２１の裏布２３に固着された面ファスナーＭＦ、ＭＦが鉤状面であれば衣服ＣＬに固着される面ファスナーＭＦ、ＭＦはループ面となる。
【００４４】
＜実施例２の作用＞
実施例２のスライドファスナー２の作用は以下のとおりである。まず、図６においてスライドファスナー２がある程度開いた状態からスライドファスナー２を閉じて図５の状態とするためには、図６の状態において掩蔽体２１全体を手に掴んで上方にスライダーＳを引き上げる。これによりスライダーＳは最上端部にまで移動するので、次に、掩蔽体２１の面ファスナーＭＦ、ＭＦと衣服ＣＬの面ファスナーＭＦ、ＭＦを当接させ、掩蔽体２１の表面から押圧すれば掩蔽体２１は面ファスナーＭＦ、ＭＦ、ＭＦ、ＭＦを介して衣服ＣＬに固定される。と同時に、環状体Ｒと帯状体２４は折畳まれて掩蔽体２１により掩蔽され、スライダーＳも完全に掩蔽される。これによりスライドファスナー２を閉じるプロセスは完了する。
【００４５】
スライドファスナー２を開くプロセスは以上のプロセスの逆となる。すなわち、掩蔽体２１を衣服ＣＬから剥離して下方に引っ張る。これにより、帯状体２４と環状体Ｒを介してスライダーＳが下方に移動し、スライドファスナー２は開かれる。以上のスライドファスナー２を閉じるプロセスもスライドファスナー２を開くプロセスも全て掩蔽体２１を手全体で掴んで行うことができるので、実施例１同様手指の不自由な人や高齢者にても、スライドファスナー２の開閉が楽に行えるものである。
【００４６】
なお、スライダーＳが最下端にまで移動した状態、すなわちスライドファスナー２が全開となった状態にて掩蔽体２１の揺れ等が気になるようであれば、衣服ＣＬの下方に適宜面ファスナーＭＦ、ＭＦ（図示せず）を設けて、掩蔽体２１をそこに固定するようにすれば良い。
【００４７】
図７、図８には、実施例２のスライドファスナー２の他の形態を示す。図７に示すスライドファスナー２０は、スライドファスナー２と略同一の構成であるが、スライドファスナー２の面ファスナーＭＦ、ＭＦ、ＭＦ、ＭＦに替えて、掩蔽体２０１の側に雄ホックＨ１、Ｈ１を固着し、衣服ＣＬの側に雌ホックＨ２、Ｈ２を固着している。作用も実施例１と略同様であるが、面ファスナーＭＦ、ＭＦ、ＭＦ、ＭＦの着脱に替えて雄ホックＨ１、Ｈ１、雌ホックＨ２、Ｈ２の着脱を行うものである。なお、図７のＤ、Ｄは合成樹脂製の飾りである。
【００４８】
図９、図１０には、実施例２のスライドファスナー２の他の形態を示す。図９に示すスライドファスナー２００は、スライドファスナー２と略同一の構成であるが、面ファスナーＭＦ、ＭＦ、ＭＦ、ＭＦに替えて、掩蔽体２１０の側にボタン孔ＢＨ，ＢＨを穿設し、衣服ＣＬの側にボタンＢ、Ｂを縫着している。作用も実施例１と略同様であるが、面ファスナーＭＦ、ＭＦ、ＭＦ、ＭＦの着脱に替えてボタンＢ、Ｂをボタン孔ＢＨ，ＢＨに嵌めることにより掩蔽体２１を衣服ＣＬに固定し、ボタンＢ、Ｂをボタン孔ＢＨ，ＢＨから外すことにより掩蔽体２１を衣服ＣＬから剥離させるものである。
【実施例３】
【００４９】
＜実施例３の構成＞
図１１、図１２には、本発明の実施例３のスライドファスナー３の構成を示す。図１１に示す３はスライドファスナーであり、ＢＧはスライドファスナー３が装着されているバッグで、皮製である。Ｓはスライドファスナー３を開閉させるスライダーであり（図１２参照）、ＲはスライダーＳに装着された環状体である。従来のスライドファスナー（図示せず）においては、環状体Ｒに把手（図示せず）が装着されるが、実施例３のライドファスナー３においては、実施例１のスライドファスナー１同様環状体Ｒに掩蔽体３１が装着されている。
【００５０】
掩蔽体３１の構成は、図１１、図１２に見るとおりである。すなわち、掩蔽体３１の本体３２は木の葉を模した形状で、図１１に見るように、表面には葉脈を模した溝ｔが刻設されている。なお、掩蔽体３１は皮製であるが、これはバッグＢＧが皮製であることを受けて皮製となっているもので、バッグＢＧが布製であれば掩蔽体３１も布製とするのが妥当である。意匠上の理由等からバッグＢＧと掩蔽体３１を別素材とすることもあり得るが、一般的には同一素材とするのが望ましい。また、掩蔽体３１の素材には、ある程度の柔軟性が必要である点も実施例１と同じである。
【００５１】
掩蔽体３１の本体３２の裏面には、図１２に示すように裏皮３３が裏面全体に固着されている。裏皮３３の固着方法は、実施例１同様いかなる方法でも良い。また、本体３２と裏皮３３の中間部分には、環状の帯状布からなる連結帯３４の一端が本体３２と裏皮３３と一体に挟着固定されている。この挟着固定の方法もいかなる方法を用いてもかまわない。連結帯３４の他端にはスライドファスナー３のスライダーＳの環状体Ｒが挿通されていて、掩蔽体３１は連結帯３４と環状体Ｒを介してスライダーＳに連結されている。
【００５２】
掩蔽体３１の裏皮３３には、図６に見るように、略３角形状の面ファスナーＭＦ、ＭＦが固着されている。また、バッグＢＧにも略３角形状の面ファスナーＭＦ、ＭＦが固着されている。すなわち、スライドファスナー３が閉状態（図１１の状態）で、掩蔽体３１の裏皮３３に固着された面ファスナーＭＦ、ＭＦと対応する位置のバッグＢＧの表面に、略３角形状の面ファスナーＭＦ、ＭＦが固着されている。この場合、掩蔽体３１の裏皮３３に固着された面ファスナーＭＦ、ＭＦがループ面であればバッグＢＧに固着される面ファスナーＭＦ、ＭＦは鉤状面となり（図１２の状態）、掩蔽体３１の裏皮３３に固着された面ファスナーＭＦ、ＭＦが鉤状面であればバッグＢＧに固着される面ファスナーＭＦ、ＭＦはループ面となる。
【００５３】
＜実施例３の作用＞
実施例３のスライドファスナー３の作用は以下のとおりである。まず、図１２においてスライドファスナー３がある程度開いた状態からスライドファスナー３を閉じて図１１の状態とするためには、図１２の状態において掩蔽体３１全体を手に掴んで左方（図１２において向かって左方向）にスライダーＳを引く。これによりスライダーＳは最左端部にまで移動するので、次に、掩蔽体３１の面ファスナーＭＦ、ＭＦとバッグＢＧの面ファスナーＭＦ、ＭＦを当接させ、掩蔽体３１の表面から押圧すれば掩蔽体３１は面ファスナーＭＦ、ＭＦ、ＭＦ、ＭＦを介してバッグＢＧに固定される。と同時に、環状体Ｒと帯状体３４は折畳まれて掩蔽体３１により掩蔽され、スライダーＳも完全に掩蔽される。これによりスライドファスナー３を閉じるプロセスは完了する。
【００５４】
スライドファスナー３を開くプロセスは以上のプロセスの逆となる。すなわち、掩蔽体３１をバッグＢＧから剥離して右方（図１１において向かって右方向）に引っ張る。これにより、帯状体３４と環状体Ｒを介してスライダーＳが右方に移動し、スライドファスナー３は開かれる。以上のスライドファスナー３を閉じるプロセスもスライドファスナー３を開くプロセスも全て掩蔽体３１を手全体で掴んで行うことができるので、実施例１、２同様手指の不自由な人や高齢者にても、スライドファスナー３の開閉が楽に行えるものである。
【産業上の利用可能性】
【００５５】
本発明の掩蔽体付スライドファスナーは、前述のように、スライダーあるいはスライダーとスライダーの把手部分の固定、掩蔽が同時にでき、かつ手指の不自由な人や高齢者にも楽に操作ができるという大きな３つの特徴を合わせ持っているので、その応用範囲は非常に広く、日常生活のあらゆる場面にて適用可能なものである。例えば、寝具やソファ等のスライドファスナーにも応用できるし、家具や家電製品のカバー類のスライドファスナーにも適用可能である。本発明の非常に特徴的な点は、これも前述のように所謂ユニバーサルデザインの視点からみて広範囲にその機能を及ぼし、ハンディキャップのある人にもない人にも各種製品の作用効果を等しく齎し得るという特質によるものであって、この点に鑑みれば、本発明は、これからの人間の日常生活において少なからぬ福音を齎すものであると言い得る。
【図面の簡単な説明】
【００５６】
【図１】本発明の実施例１の掩蔽体付スライドファスナーの全閉状態の外観斜視図である。
【図２】本発明の実施例１の掩蔽体付スライドファスナーの半開状態の外観斜視図である。
【図３】本発明の実施例１の掩蔽体付スライドファスナーの全閉状態の外観斜視図である。
【図４】本発明の実施例１の掩蔽体付スライドファスナーの全閉状態の要部の外観斜視図である。
【図５】本発明の実施例２の掩蔽体付スライドファスナーの半開状態の外観斜視図である。
【図６】本発明の実施例２の掩蔽体付スライドファスナーの全閉状態の外観斜視図である。
【図７】本発明の実施例２の掩蔽体付スライドファスナーの他の実施形態の全閉状態の外観斜視図である。
【図８】本発明の実施例２の掩蔽体付スライドファスナーの他の実施形態の半開状態の外観斜視図である。
【図９】本発明の実施例２の掩蔽体付スライドファスナーの他の実施形態の全閉状態の外観斜視図である。
【図１０】本発明の実施例２の掩蔽体付スライドファスナーの他の実施形態の半開状態の外観斜視図である。
【図１１】本発明の実施例３の掩蔽体付スライドファスナーの全閉状態の外観斜視図である。
【図１２】本発明の実施例３の掩蔽体付スライドファスナーの半開状態の外観斜視図である。
【符号の説明】
【００５７】
１      スライドファスナー
１１    掩蔽体
１２    本体
１３    裏皮
１４    連結帯
２      スライドファスナー
２０    スライドファスナー
２００  スライドファスナー
２０１  掩蔽体
２１    掩蔽体
２１０  掩蔽体
２２    本体
２３    裏布
２４    連結帯
３      スライドファスナー
３１    掩蔽体
３２    本体
３３    裏皮
３４    連結帯
Ｂ      ボタン
ＢＧ    バッグ
ＢＨ    ボタン孔
ＣＬ    衣服
Ｄ      飾り
Ｈ１    雄ホック
Ｈ２    雌ホック
ＭＦ    面ファスナー
Ｒ      環状体
Ｓ      スライダー
ＳＨ    靴
Ｘ      方向
Ｙ      方向
ｔ      溝
【図１】
2006288960.tif 000003
【図２】
2006288960.tif 000004
【図３】
2006288960.tif 000005
【図４】
2006288960.tif 000006
【図５】
2006288960.tif 000007
【図６】
2006288960.tif 000008
【図７】
2006288960.tif 000009
【図８】
2006288960.tif 000010
【図９】
2006288960.tif 000011
【図１０】
2006288960.tif 000012
【図１１】
2006288960.tif 000013
【図１２】
2006288960.tif 000014